(57)【要約】【課題】  実施の形態は、部品点数の減少、組立性を向上し、回転角度を広くすることができる照明装置を提供する。【解決手段】  有底筒状の筐体と、前記筐体の底面に対し、鉛直方向の回転軸を中心に取り付けられるアーム本体と、このアーム本体の両端からそれぞれの先端部が相対向する位置に延設された一対のアーム部とを有し前記アーム本体の長手方向のアーム中心軸は、前記筐体の鉛直軸および水平軸からずらして形成されたアーム部材と、前記一対のアーム部の先端部間に軸支され、水平方向の回転軸を有する灯体と、前記筐体の底面から前記筐体内空間方向に向けて設けられた突起部と；前記アーム本体には、前記突起部に当接する当接部が、前記筐体の水平軸からアーム中心軸寄りに形成されている。【選択図】図１
2017174785.tif 000002
【特許請求の範囲】
【請求項１】
有底筒状の筐体と；
前記筐体の底面に対し、鉛直方向の回転軸を中心に取り付けられるアーム本体と、このアーム本体の両端からそれぞれの先端部が相対向する位置に延設された一対のアーム部とを有し前記アーム本体の長手方向のアーム中心軸は、前記筐体の鉛直軸および水平軸からずらして形成されたアーム部材と；
前記一対のアーム部の先端部間に軸支され、水平方向の回転軸を有する灯体と；
前記筐体の底面から前記筐体内空間方向に向けて設けられた突起部と；
前記アーム本体には、前記突起部に当接する当接部が、前記筐体の水平軸からアーム中心軸寄りに形成されていることを特徴とする照明装置。
【請求項２】
前記アーム部には、下方に突出すると共に、前記筐体に当接する突出部が設けられていることを特徴とする請求項１に記載の照明装置。
【発明の詳細な説明】
【技術分野】
【０００１】
本発明の実施形態は、光の照射方向を調整可能な照明装置に関する。
【背景技術】
【０００２】
光の照射方向を変化させることができる照明装置が知られている。このような照明装置は、天井などの取付面に対して垂直な軸を中心に器具本体を回転させることで角度変更の自由度をより高めることが望まれている。
【先行技術文献】
【特許文献】
【０００３】
【特許文献１】特開２０１４−１８６８０５号公報
【発明の概要】
【発明が解決しようとする課題】
【０００４】
本発明の実施形態は、角度変更の自由度の高い照明装置を提供する。
【課題を解決するための手段】
【０００５】
実施形態の照明装置によれば、有底筒状の筐体と、前記筐体の底面に対し、鉛直方向の回転軸を中心に取り付けられるアーム本体と、このアーム本体の両端からそれぞれの先端部が相対向する位置に延設された一対のアーム部とを有し前記アーム本体の長手方向のアーム中心軸は、前記筐体の鉛直軸および水平軸からずらして形成されたアーム部材と、前記一対のアーム部の先端部間に軸支され、水平方向の回転軸を有する灯体と、前記筐体の底面から前記筐体内空間方向に向けて設けられた突起部と；前記アーム本体には、前記突起部に当接する当接部が、前記筐体の水平軸からアーム中心軸寄りに形成されている。
【発明の効果】
【０００６】
実施形態の照明装置によれば、光の照射方向の自由度を高めることができる。
【図面の簡単な説明】
【０００７】
【図１】図１は、第１の実施形態の照明装置の外観を示す断面図である。
【図２】図２は、第１の実施形態の照明装置に組み込まれた灯体を示す斜視図である。
【図３】図３は、第１の実施形態の照明装置に組み込まれたアーム部を示す斜視図である。
【図４】図４は、第１の実施形態の照明装置の内部構造を示す平面図である。
【図５】図５は、第１の実施形態の照明装置の内部構造を示す平面図である。
【発明を実施するための形態】
【０００８】
図１乃至図５は、第１の実施の形態を示す。図１は、第１の実施形態の照明装置の外観を示す断面図である。図２は、第１の実施形態の照明装置に組み込まれた灯体を示す斜視図である。図３は、第１の実施形態の照明装置に組み込まれたアーム部を示す斜視図である。図４は、第１の実施形態の照明装置の内部構造を示す平面図である。図５は、第１の実施形態の照明装置の内部構造を示す平面図である。
【０００９】
本実施形態のダウンライト型の照明装置１０は、天井面Ｓに設けられた凹部Ｓａに埋め込まれ、下方に開口する有底筒状の筐体２０と、この筐体２０を凹部Ｓａ内に配設させるための取付バネ３０と、後述する灯体５０に電力を供給する制御基板４０及び制御部品４１を有している。筐体２０内には、灯体５０が鉛直軸Ｅ及び水平軸Ｈを所定の範囲内で回動自在に配置されている。
【００１０】
筐体２０の底面２１には、鉛直軸Ｅを中心に取り付けられたアーム部材６０が取り付けられている。アーム部材６０は、筐体２０の底面２１に沿ってほぼ水平に配置されたアーム本体６１と、このアーム本体６１から筐体２０の開口に向けて互いに延設され、それぞれの先端部６２ａ，６３ａが相対向する位置に設けられた一対のアーム部６２，６３とを備えている。アーム本体６１の中央部にはねじ８０が挿入されることにより鉛直軸Ｅ廻りに回動自在に配置される。先端部６２ａ，６３ａを結んだ線は水平軸Ｈとなる。回動軸部６５の鉛直軸Ｅは、灯体５０の回転中心と一致させることが好ましい。
【００１１】
アーム本体６１には、水平軸からずれた切欠部６１ａ，６１ｂが鉛直軸Ｅを挟むように設けられている。切欠部６１ａ，６１ｂはアーム本体部の長手方向の中心軸方向まで形成されている。この切欠部は、鉛直軸Ｅ周り角度を抑制する突起部７０と当接することで回転を規制する。
【００１２】
灯体５０は、一対のアーム部６２，６３の先端部６２ａ，６３ａ間に軸支され、水平方向の回転軸を有する有底筒状の灯体５０を備えている。灯体５０内にはＬＥＤ発光モジュール、電球ソケット等が配置されている。
【００１３】
筐体２０の底面２１には、鉛直軸Ｅから離間した位置において下方へ向けて突設された突起部７０を備えている。
【００１４】
アーム本体６１の同じ側面側にそれぞれ設けられた一対の切欠部（当接部）６１ａ，６１ｂを備えている。これら切欠部（当接部）６１ａ，６１ｂは、鉛直軸Ｅ廻りにアーム本体６１を回動させると、突起部７０に当接し、アーム本体６１の回動範囲を規制する機能を有している。この時、切欠部６１ａ，６１ｂを結んだ線、すなわち突起部７０との当接位置を結んだ線は鉛直軸Ｅを通るように設定されていることから、アーム本体６１の回動範囲は１８０°となる。
【００１５】
アーム本体６１には、下方に突出すると共に、灯体５０に当接する突出部６４，６６が設けられている。突出部６４，６６は、回動軸部６５を挟んで反対側に設けられ、灯体５０の水平軸Ｈ廻りの回動範囲を規制する機能を有している。
【００１６】
次に、上述した照明装置１０における灯体５０の照射方向の調整（チルト方向及び回転方向）について説明する。一対のアーム部６２，６３の先端部６２ａ，６３ａ間に形成された水平軸Ｈ廻りの回動、すなわち、チルト方向については、灯体５０を押す等して、好みの角度を決める。この時、所定以上の角度になると灯体５０の外壁が突出部６４，６６のいずれかに当接する。したがって、過剰な回動を防止し、配線が絡むことを防止できる。
【００１７】
一方、鉛直軸Ｅ廻りの回動については、回動軸部６５を中心にアーム本体６１を回動させることで灯体５０を回転させる。この時、所定以上の回動角度となると図４及び図５に示すように、突起部７０が切欠部６１ａ，６１ｂ内に入り、アーム本体６１に当接する。したがって、過剰な回動を防止し、配線が絡むことを防止できると共に、回動角度を１８０°の範囲で確保することができる。
【００１８】
このように構成された照明装置１０によれば、水平軸Ｈ廻りの回動範囲を規制するための突起部をハウジング２０の内周面に設ける必要が無いため、灯体５０をハウジング２０に収容するための作業が簡素化される。また、水平軸Ｈ廻りの回動範囲の規制と、鉛直軸Ｅ廻りの回動範囲の規制とを１つのアーム部材６０で行うことができるため、部品点数を減らすことができる。したがって、使用者が照射させたい向きに光源の向きを合わせ易くなる。
【００１９】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２０】
１０…照明装置、２０…筐体、４０…制御基板、５０…灯体、６０…アーム部材、６１…アーム本体、６１ａ，６１ｂ…切欠部（当接部）、６２，６３…アーム部、６４，６６…突出部、６５…回動軸部、７０…突起部、８０…ねじ、Ｓ…天井面。
【図１】
2017174785.tif 000003
【図２】
2017174785.tif 000004
【図３】
2017174785.tif 000005
【図４】
2017174785.tif 000006
【図５】
2017174785.tif 000007